(57)【特許請求の範囲】
【請求項１】
流通する空気が吸着剤と接触する調湿側通路（85）と該調湿側通路（85）の吸着熱を奪うために空気が流通する冷却側通路（86）とが形成された直方体状の吸着素子（81,82）を複数備え、
第１の吸着素子（81）で空気を減湿すると同時に第２の吸着素子（82）を再生する第１動作と、第２の吸着素子（82）で空気を減湿すると同時に第１の吸着素子（81）を再生する第２動作とを交互に行い、
取り込んだ空気を減湿して室内へ供給する除湿運転を少なくとも行う空気調和装置であって、
冷媒を循環させて冷凍サイクルを行い、上記吸着素子（81,82）を再生するための空気を冷媒の凝縮熱で加熱する冷媒回路と、
上記第１動作と上記第２動作とを相互に切り換えるために、上記吸着素子（81,82）を固定したままで空気の流通経路を変更する流路変更手段とを備え、
並んで配置された第１の吸着素子（81）と第２の吸着素子（82）の間に上記冷媒回路の凝縮器（92）が設置されており、
第１動作と第２動作を相互に切り換える際には、再生された吸着素子（81,82）による空気の減湿を開始する前に、該吸着素子（81,82）の冷却側通路（86）で空気を流通させて該吸着素子（81,82）を冷却する冷却動作が行われる空気調和装置。
【請求項２】
請求項１記載の空気調和装置において、
上記第１の吸着素子（81）と上記第２の吸着素子（82）とは、隣接する側面の一方に調湿側通路（85）が開口して他方に冷却側通路（86）が開口し、調湿側通路（85）と冷却側通路（86）の何れも開口しない端面における対角線の一方が互いに同一の直線上に並ぶような姿勢で設置されている空気調和装置。
【請求項３】
請求項２記載の空気調和装置において、
冷媒回路の凝縮器（92）は、各吸着素子（81,82）の端面の中心を互いに結んだ直線からオフセットして設置されている空気調和装置。
【請求項４】
請求項１記載の空気調和装置において、
取り込んだ空気を加湿して室内へ供給する加湿運転を除湿運転と切り換えて行うために、上記吸着素子（81,82）を固定したままで空気の流通経路を変更する運転切換手段を備えている空気調和装置。
【請求項５】
請求項１記載の空気調和装置において、
取り込んだ室外空気を減湿も加湿もせずに室内へ供給する外気導入運転を除湿運転と切り換えて行うために、上記吸着素子（81,82）を固定したままで空気の流通経路を変更する運転切換手段を備えている空気調和装置。
【発明の詳細な説明】
【０００１】
【発明の属する技術分野】
本発明は、空気調和装置に関し、特に空気の湿度調節を行うものに係る。
【０００２】
【従来の技術】
従来より、特開２００１−４６８３０号公報に開示されているように、空気の湿度調節を行う空気調和装置が知られている。この空気調和装置には、吸着素子が設けられている。吸着素子には多数の空気通路が区画形成され、この空気通路を流れる空気が吸着剤と接触する。そして、空気を減湿する場合には、処理対象の空気を吸着素子の空気通路へ導入し、該空気中の水蒸気を吸着剤に吸着させる。一方、空気を加湿する場合には、処理対象の空気を電気ヒータで加熱してから吸着素子の空気通路へ導入し、吸着剤から脱離させた水蒸気を空気に付与する。
【０００３】
上記空気調和装置では、空気を加湿する場合だけでなく、空気を減湿する場合であっても、吸着剤から水蒸気を脱離させて吸着素子を再生する必要がある。このため、上記空気調和装置は、減湿対象の空気が流れる第１の流路と、電気ヒータで加熱された空気が流れる第２の流路とを備えている。そして、吸着素子を回転させることで、その空気通路が第１の流路に連通する状態と、その空気通路が第２の流路に連通する状態とを切り換え、吸着素子による空気の減湿と吸着素子の再生とを交互に行っている。
【０００４】
【発明が解決しようとする課題】
しかしながら、上記空気調和装置のように吸着素子を回転させる構成を採ると、空気調和装置に形成された各流路間で空気の漏れが生じ、減湿対象の空気と再生用の空気とが混じり合う等によって性能の低下を招く。また、吸着素子を回転させるための機構が必要となり、空気調和装置の構成が複雑化し、その製造コストが上昇するという問題もあった。特に、処理できる空気量を増やすために吸着素子を大型化する場合には、吸着素子の重量も重くなるため、この問題が顕著であった。
【０００５】
更に、上記空気調和装置では、吸着素子を再生するための空気を電気ヒータで加熱していたため、低いエネルギ効率しか得られないという問題があった。つまり、電気ヒータで空気を加熱する場合には、空気に対する加熱量が電気ヒータの消費電力を上回ることは有り得ない。このため、上記空気調和装置において、その調湿能力が消費電力を上回ることは理論あり得ない。従って、上記空気調和装置では、消費エネルギを上回る調湿能力を得ることは不可能であり、エネルギ効率が低いことによって運転に要するエネルギコストが嵩むという問題があった。
【０００６】
本発明は、かかる点に鑑みてなされたものであり、その目的とするところは、空気の湿度を調節する空気調和装置において、吸着素子を回転させることに起因する問題を解消すると共に、そのエネルギ効率を向上させることにある。
【０００７】
【課題を解決するための手段】
本発明が講じた第１の解決手段は、流通する空気が吸着剤と接触する調湿側通路（85）と該調湿側通路（85）の吸着熱を奪うために空気が流通する冷却側通路（86）とが形成された直方体状の吸着素子（81,82）を複数備え、第１の吸着素子（81）で空気を減湿すると同時に第２の吸着素子（82）を再生する第１動作と、第２の吸着素子（82）で空気を減湿すると同時に第１の吸着素子（81）を再生する第２動作とを交互に行い、取り込んだ空気を減湿して室内へ供給する除湿運転を少なくとも行う空気調和装置を対象としている。そして、冷媒を循環させて冷凍サイクルを行い、上記吸着素子（81,82）を再生するための空気を冷媒の凝縮熱で加熱する冷媒回路と、上記第１動作と上記第２動作とを相互に切り換えるために、上記吸着素子（81,82）を固定したままで空気の流通経路を変更する流路変更手段とを備え、並んで配置された第１の吸着素子（81）と第２の吸着素子（82）の間に上記冷媒回路の凝縮器（92）が設置されており、第１動作と第２動作を相互に切り換える際には、再生された吸着素子（81,82）による空気の減湿を開始する前に、該吸着素子（81,82）の冷却側通路（86）で空気を流通させて該吸着素子（81,82）を冷却する冷却動作が行われるものである。
【０００８】
本発明が講じた第２の解決手段は、上記第１の解決手段において、第１の吸着素子（81）と第２の吸着素子（82）とは、隣接する側面の一方に調湿側通路（85）が開口して他方に冷却側通路（86）が開口し、調湿側通路（85）と冷却側通路（86）の何れも開口しない端面における対角線の一方が互いに同一の直線上に並ぶような姿勢で設置されるものである。
【０００９】
本発明が講じた第３の解決手段は、上記第２の解決手段において、冷媒回路の凝縮器（92）は、各吸着素子（81,82）の端面の中心を互いに結んだ直線からオフセットして設置されるものである。
【００１０】
本発明が講じた第４の解決手段は、上記第１の解決手段において、取り込んだ空気を加湿して室内へ供給する加湿運転を除湿運転と切り換えて行うために、上記吸着素子（81,82）を固定したままで空気の流通経路を変更する運転切換手段を備えるものである。
【００１１】
本発明が講じた第５の解決手段は、上記第１の解決手段において、取り込んだ室外空気を減湿も加湿もせずに室内へ供給する外気導入運転を除湿運転と切り換えて行うために、上記吸着素子（81,82）を固定したままで空気の流通経路を変更する運転切換手段を備えるものである。
【００１２】
−作用−
上記第１の解決手段では、空気調和装置が第１動作と第２動作とを交互に繰り返す。この空気調和装置は、流路変更手段で空気の流通経路を変更することにより、第１動作と第２動作とを相互に切り換える。その際、吸着素子（81,82）は、回転せずに固定された状態に保持される。第１動作では、第１の吸着素子（81）の調湿側通路（85）へ減湿対象の空気が導入され、第２の吸着素子（82）の調湿側通路（85）へ再生用の空気が導入される。一方、第２動作では、第２の吸着素子（82）の調湿側通路（85）へ減湿対象の空気が導入され、第１の吸着素子（81）の調湿側通路（85）へ再生用の空気が導入される。
【００１３】
各吸着素子（81,82）へ供給される再生用の空気は、冷媒回路の凝縮器（92）で冷媒と熱交換して加熱される。この凝縮器（92）は、第１の吸着素子（81）と第２の吸着素子（82）の間に設けられる。従って、凝縮器（92）を通過した再生用の空気は、どちらの吸着素子（81,82）の調湿側通路（85）へもスムーズに流入する。
【００１４】
また、第１動作及び第２動作において、減湿対象の空気が導入される吸着素子（81,82）では、冷却側通路（86）へ冷却用の空気が導入される。調湿側通路（85）において生じる水蒸気の吸着熱は、冷却側通路（86）を流れる空気によって奪われる。尚、この冷却側通路（86）で吸着熱を吸熱した空気を、再生用の空気として利用してもよい。
【００１５】
また、この第１の解決手段では、空気調和装置が冷却動作を行う。この空気調和装置において、第１動作が終了すると、冷却動作が行われた後に第２動作が開始される。同様に、第２動作が終了すると、冷却動作が行われた後に第１動作が開始される。つまり、本解決手段では、必ず冷却動作を経由して第１動作と第２動作の切り換えが行われる。
【００１６】
例えば、第１動作が終了すると、第２の吸着素子（82）の冷却側通路（86）へ空気が導入される。第１動作において再生された第２の吸着素子（82）は、冷却側通路（86）を流れる空気によって冷却される。その後、第２動作が開始され、第１動作で再生されて冷却動作で冷却された第２の吸着素子（82）を用いて、空気の減湿が行われる。
【００１７】
上記第２の解決手段では、直方体状の吸着素子（81,82）において、４つの側面のうち対向する２つの側面に調湿側通路（85）が開口し、残りの対向する２つの側面に冷却側通路（86）が開口する。つまり、各吸着素子（81,82）において、調湿側通路（85）における空気の流通方向と、冷却側通路（86）における空気の流通方向とが直交している。また、直方体状の吸着素子（81,82）において、その端面には調湿側通路（85）及び冷却側通路（86）の何れも開口していない。そして、第１の吸着素子（81）と第２の吸着素子（82）とは、各吸着素子（81,82）の端面における対角線の一方が互いに一直線上に位置する姿勢で設置されている。
【００１８】
上記第３の解決手段では、冷媒回路の凝縮器（92）が、第１と第２の吸着素子（81,82）における端面の中心を互いに結んだ直線からオフセットして設置される。つまり、冷媒回路の凝縮器（92）は、各吸着素子（81,82）の端面における対角線の一方が位置する直線から所定の距離だけ離れて配置される。
【００１９】
上記第４の解決手段では、空気調和装置が除湿運転と加湿運転を切り換えて行う。この加湿運転では、吸着素子（81,82）の吸着剤から脱離させた水蒸気を利用して空気を加湿する。本解決手段において、除湿運転と加湿運転の切り換えは、運転切換手段が空気の流通経路を切り換えることによって行われる。その際、吸着素子（81,82）は、回転せずに固定された状態に保持される。
【００２０】
上記第５の解決手段では、空気調和装置が除湿運転と外気導入運転を切り換えて行う。外気導入運転では、取り込んだ室外空気を湿度調節することなく室内へ供給する。この外気導入運転は、いわゆる中間期のように外気温の方が室内気温よりも低くなるような時期に行われる。本解決手段において、除湿運転と外気導入運転の切り換えは、運転切換手段が空気の流通経路を切り換えることによって行われる。その際、吸着素子（81,82）は、回転せずに固定された状態に保持される。尚、本解決手段の空気調和装置は、除湿運転、加湿運転、及び外気導入運転の３つを切り換えて行うものであってもよい。
【００２１】
【発明の効果】
本発明では、吸着素子（81,82）を用いて空気の湿度調節を行う空気調和装置において、吸着素子（81,82）を回転させることなく第１動作と第２動作を相互に切り換えて行うようにしている。従って、本発明によれば、吸着素子（81,82）の移動に伴う空気の漏れを防止でき、空気の漏れに起因する空気調和装置の性能低下を回避できる。また、吸着素子（81,82）を回転させるための機構が不要となり、空気調和装置の構成を簡素化し、その製造コストを低減できる。
【００２２】
また、本発明では、吸着素子（81,82）を再生するための空気を、冷媒回路の凝縮器（92）で冷媒と熱交換させることにより加熱している。ここで、冷媒回路で冷媒を循環させて冷凍サイクルを行う場合、凝縮器（92）で空気へ与えられる熱量は、冷媒回路の圧縮機を駆動するのに要するエネルギよりも多くなる。従って、本発明によれば、冷媒回路の冷凍サイクルによって再生用の空気を加熱しているため、圧縮機の消費エネルギを上回る除湿能力を得ることが可能となる。この結果、空気の調湿を行う空気調和装置について、そのエネルギ効率を向上させ、その運転に要するエネルギコストを削減できる。
【００２３】
また、本発明では、再生された吸着素子（81,82）を冷却動作によって冷却し、冷却後の吸着素子（81,82）に対して減湿対象の空気を導入している。ここで、再生されて高温となった吸着素子（81,82）へ減湿対象の空気を導入すると、その調湿側通路（85）において空気が加熱され、該空気の相対湿度が低下して吸着剤に吸着される水蒸気の量が減少してしまう。これに対し、本解決手段では、冷却動作により予め吸着素子（81,82）を冷却し、その後にこの吸着素子（81,82）へ減湿対象の空気を供給している。従って、本解決手段によれば、吸着素子（81,82）の吸着性能を十分に発揮させることができ、空気調和装置の性能向上を図ることができる。
【００２４】
また、上記第３の解決手段によれば、吸着素子（81,82）の端面側から見て、吸着素子（81,82）の一部と凝縮器（92）の一部とがオーバーラップするような配置も可能となる。従って、本解決手段によれば、空気調和装置の小型化が可能となる。
【００２５】
【発明の実施の形態】
以下、本発明の実施形態を図面に基づいて詳細に説明する。尚、以下の説明において、「上」 「下」 「左」 「右」 「前」 「後」 「手前」 「奥」 は、何れも参照する図面におけるものを意味している。
【００２６】
《前提技術１》
先ず、本発明の実施形態の前提となる技術について説明する。
【００２７】
前提技術１の空気調和装置は、取り込んだ外気を減湿して室内へ供給する除湿運転だけを行うように構成されている。また、この空気調和装置は、２つの吸着素子（81,82）を備え、いわゆるバッチ式の動作を行うように構成されている。ここでは、この前提技術１の空気調和装置の構成について、図１〜図４を参照しながら説明する。
【００２８】
図１，図４に示すように、上記空気調和装置は、やや扁平な直方体状のケーシング（10）を備えている。このケーシング（10）には、２つの吸着素子（81,82）と、１つの冷媒回路とが収納されている。
【００２９】
図２に示すように、上記吸着素子（81,82）は、正方形状の平板部材（83）と波板部材（84）とを交互に積層して構成されている。波板部材（84）は、隣接する波板部材（84）の稜線方向が互いに９０°ずれる姿勢で積層されている。そして、吸着素子（81,82）は、直方体状あるいは四角柱状に形成されている。つまり、各吸着素子（81,82）は、その端面が平板部材（83）と同様の正方形状に形成されている。
【００３０】
上記吸着素子（81,82）には、平板部材（83）及び波板部材（84）の積層方向において、調湿側通路（85）と冷却側通路（86）とが平板部材（83）を挟んで交互に区画形成されている。吸着素子（81,82）の４つの側面のうち、対向する一対の側面に調湿側通路（85）が開口し、これとは別の対向する一対の側面に冷却側通路（86）が開口している。また、吸着素子（81,82）の端面には、調湿側通路（85）及び冷却側通路（86）の何れも開口していない。調湿側通路（85）に臨む平板部材（83）の表面や、調湿側通路（85）に設けられた波板部材（84）の表面には、水蒸気を吸着するための吸着剤が塗布されている。この種の吸着剤としては、例えばシリカゲル、ゼオライト、イオン交換樹脂等が挙げられる。
【００３１】
上記冷媒回路は、圧縮機（91）と、凝縮器である再生熱交換器（92）と、冷媒の膨張弁と、蒸発器である冷却熱交換器（94）とを順に配管接続して形成された閉回路である。尚、冷媒回路の全体構成及び膨張弁の図示は省略する。この冷媒回路は、充填された冷媒を循環させて、蒸気圧縮式の冷凍サイクルを行うように構成されている。
【００３２】
図１，図４に示すように、上記ケーシング（10）において、最も手前側には室外側パネル（11）が設けられ、最も奥側には室内側パネル（12）が設けられている。室外側パネル（11）には、その右上隅部に給気側入口（13）が形成され、その下部の左寄りに排気側出口（16）が形成されている。一方、室内側パネル（12）には、その右下隅部に給気側出口（14）が形成され、その左上隅部に排気側入口（15）が形成されている。
【００３３】
上記ケーシング（10）には、２つの仕切部材（20,30）が収納されている。各仕切部材（20,30）は、ケーシング（10）の長手方向（前後方向）に直交する断面とほぼ同じ形状の長方形板状に形成されている。これら仕切部材（20,30）は、手前から奥に向かって順に立設され、ケーシング（10）の内部空間を前後に仕切っている。また、これら仕切部材（20,30）によって区画されたケーシング（10）の内部空間は、それぞれが更に上下に仕切られている。
【００３４】
室外側パネル（11）と第１仕切部材（20）の間には、上側の室外側上部流路（51）と下側の室外側下部流路（52）とが区画形成されている。室外側上部流路（51）は、給気側入口（13）によって室外空間と連通されている。室外側下部流路（52）は、排気側出口（16）によって室外空間と連通されている。この室外側下部流路（52）における左端の手前側は、区画板（55）によって仕切られて閉空間の機械室（56）を形成している。この機械室（56）には、冷媒回路の圧縮機（91）が設置されている。
【００３５】
第１仕切部材（20）と第２仕切部材（30）の間には、２つの吸着素子（81,82）が左右に並んで設置されている。具体的には、右寄りに第１吸着素子（81）が設けられ、左寄りに第２吸着素子（82）が設けられている。これら吸着素子（81,82）は、それぞれの長手方向がケーシング（10）の長手方向と一致する姿勢で、平行に配置されている。また、図３にも示すように、これら吸着素子（81,82）は、その端面が正方形を４５°回転させた菱形をなす姿勢で設置されている。つまり、各吸着素子（81,82）は、その端面における対角線の一方が互いに一直線上に並ぶような姿勢で設置されている。
【００３６】
更に、第１仕切部材（20）と第２仕切部材（30）の間には、冷媒回路の再生熱交換器（92）と、切換シャッタ（40）とが設置されている。再生熱交換器（92）は、平板状に形成されている。再生熱交換器（92）の前後長は、吸着素子（81,82）の前後長と概ね等しくなっている。この再生熱交換器（92）は、第１吸着素子（81）と第２吸着素子（82）の間に概ね水平姿勢で設置されている。また、再生熱交換器（92）は、各吸着素子（81,82）における端面の中心を互いに結んだ直線上に配置されている。そして、再生熱交換器（92）では、上下方向に空気が貫流する。
【００３７】
切換シャッタ（40）は、シャッタ板（42）と一対の側板（41）とを備え、第２切換機構を構成している。各側板（41）は、何れも半円板状に形成されている。各側板（41）の直径は、再生熱交換器（92）の左右幅とほぼ同じとなっている。この側板（41）は、再生熱交換器（92）における手前側と奥側の端面に沿って１つずつ設けられている。一方、シャッタ板（42）は、一方の側板（41）から他方の側板（41）に亘って延長され、各側板（41）の周縁に沿って湾曲する曲面板状に形成されている。このシャッタ板（42）は、その曲面の中心角が９０°となっており、再生熱交換器（92）の左右方向の半分を覆っている。また、シャッタ板（42）は、側板（41）の周縁に沿って移動するように構成されている。そして、切換シャッタ（40）は、シャッタ板（42）が再生熱交換器（92）の右半分を覆う状態（図３(ａ)を参照）と、シャッタ板（42）が再生熱交換器（92）の左半分を覆う状態（図３(ｂ)を参照）とに切り換わる。
【００３８】
第１仕切部材（20）と第２仕切部材（30）の間は、上下に区画されると同時に、上下の各空間が第１，第２吸着素子（81,82）や切換シャッタ（40）によって左右に仕切られている。具体的に、第１吸着素子（81）の右側には、上側の右上部流路（61）と下側の右下部流路（62）とが区画形成されている。第１吸着素子（81）と第２吸着素子（82）の間の上側では、切換シャッタ（40）の右側の第１中央上部流路（63）と、切換シャッタ（40）の左側の第２中央上部流路（64）とが区画形成されている。第１吸着素子（81）と第２吸着素子（82）の間の下側では、中央下部流路（65）が区画形成されている。第２吸着素子（82）の左側には、上側の左上部流路（66）と下側の左下部流路（67）とが区画形成されている。
【００３９】
上述のように、各吸着素子（81,82）には、調湿側通路（85）及び冷却側通路（86）が形成されている。そして、第１吸着素子（81）は、その調湿側通路（85）が第１中央上部流路（63）及び右下部流路（62）と連通し、その冷却側通路（86）が右上部流路（61）及び中央下部流路（65）と連通する姿勢で設置されている。一方、第２吸着素子（82）は、その調湿側通路（85）が第２中央上部流路（64）及び左下部流路（67）と連通し、その冷却側通路（86）が左上部流路（66）及び中央下部流路（65）と連通する姿勢で設置されている。
【００４０】
第２仕切部材（30）と室内側パネル（12）の間には、上側の室内側上部流路（53）と下側の室内側下部流路（54）とが区画形成されている。室内側上部流路（53）は、排気側入口（15）によって室内空間と連通されている。この室内側上部流路（53）には、排気ファン（96）が設置されている。一方、室内側下部流路（54）は、給気側出口（14）によって室内空間と連通されている。この室内側下部流路（54）には、給気ファン（95）と冷却熱交換器（94）とが設置されている。
【００４１】
上記第１仕切部材（20）は、その上半分が第１上部板（21）により構成され、その下半分が第１下部板（24）により構成されている。第１上部板（21）と第１下部板（24）には、それぞれ正方形状の開口が２つずつ形成されている。
【００４２】
第１上部板（21）の開口（22,23）は、第１上部板（21）を左右幅方向に４等分したと仮定した場合において、第１上部板（21）の中央側に位置する２つの部分に形成されている。そして、これら２つの開口（22,23）のうち、右側の開口が第１中央右上開口（22）を構成し、左側の開口が第１中央左上開口（23）を構成している。
【００４３】
第１上部板（21）の各開口（22,23）は、第１中央右上開口（22）が開放されて第１中央左上開口（23）が閉鎖される状態と、第１中央右上開口（22）が閉鎖されて第１中央左上開口（23）が開放される状態とに切り換わる。第１中央右上開口（22）の開放状態では、この第１中央右上開口（22）によって室外側上部流路（51）と第１中央上部流路（63）とが連通される。第１中央左上開口（23）の開放状態では、この第１中央左上開口（23）によって室外側上部流路（51）と第２中央上部流路（64）とが連通される。
【００４４】
第１下部板（24）の開口（25,26）は、第１下部板（24）を左右幅方向に４等分したと仮定した場合において、第１下部板（24）の左右の端部に位置する部分に１つずつ形成されている。そして、これら２つの開口（25,26）のうち、右端側の開口が第１右下開口（25）を構成し、左端側の開口が第１左下開口（26）を構成している。
【００４５】
第１下部板（24）の各開口（25,26）は、第１右下開口（25）が開放されて第１左下開口（26）が閉鎖される状態と、第１右下開口（25）が閉鎖されて第１左下開口（26）が開放される状態とに切り換わる。第１右下開口（25）の開放状態では、この第１右下開口（25）によって右下部流路（62）と室外側下部流路（52）とが連通される。第１左下開口（26）の開放状態では、この第１左下開口（26）によって左下部流路（67）と室外側下部流路（52）とが連通される。
【００４６】
上記第２仕切部材（30）は、その上半分が第２上部板（31）により構成され、その下半分が第２下部板（34）により構成されている。第２上部板（31）と第２下部板（34）には、それぞれ正方形状の開口が２つずつ形成されている。
【００４７】
第２上部板（31）の開口（32,33）は、第２上部板（31）を左右幅方向に４等分したと仮定した場合において、第２上部板（31）の左右の端部に位置する部分に１つずつ形成されている。そして、これら２つの開口（32,33）のうち、右側の開口が第２右上開口（32）を構成し、左側の開口が第２左上開口（33）を構成している。
【００４８】
第２上部板（31）の各開口（32,33）は、第２右上開口（32）が開放されて第２左上開口（33）が閉鎖される状態と、第２右上開口（32）が閉鎖されて第２左上開口（33）が開放される状態とに切り換わる。第２右上開口（32）の開放状態では、この第２右上開口（32）によって右上部流路（61）と室内側上部流路（53）とが連通される。第２左上開口（33）の開放状態では、この第２左上開口（33）によって左上部流路（66）と室内側上部流路（53）とが連通される。
【００４９】
第２下部板（34）の開口（35,36）は、第２下部板（34）を左右幅方向に４等分したと仮定した場合において、第２下部板（34）の左右の端部に位置する部分に１つずつ形成されている。そして、これら２つの開口（35,36）のうち、右端側の開口が第２右下開口（35）を構成し、左端側の開口が第２左下開口（36）を構成している。
【００５０】
第２下部板（34）の各開口（35,36）は、第２右下開口（35）が開放されて第２左下開口（36）が閉鎖される状態と、第２右下開口（35）が閉鎖されて第２左下開口（36）が開放される状態とに切り換わる。第２右下開口（35）の開放状態では、この第２右下開口（35）によって室内側下部流路（54）と右下部流路（62）とが連通される。第２左下開口（36）の開放状態では、この第２左下開口（36）によって室内側下部流路（54）と左下部流路（67）とが連通される。
【００５１】
上述のように、第１仕切部材（20）及び第２仕切部材（30）は、ケーシング（10）の内部空間を前後に仕切っている。つまり、第１仕切部材（20）及び第２仕切部材（30）は、ケーシング（10）内部の空気の流路を横断する姿勢で設置されている。そして、第１仕切部材（20）を構成している第１上部板（21）及び第１下部板（24）は、それぞれの開口が開閉されることで空気の流通経路を変更する流路変更手段を構成している。更には、第２仕切部材（30）を構成している第２上部板（31）及び第２下部板（34）もまた、それぞれの開口が開閉されることで空気の流通経路を変更する流路変更手段を構成している。
【００５２】
−運転動作−
上記空気調和装置の運転動作について、図３〜図５を参照しながら説明する。上述したように、この空気調和装置は、除湿運転のみを行う。尚、図３は、ケーシング（10）内における第１仕切部材（20）と第２仕切部材（30）の間の部分を、模式的に図示したものである。
【００５３】
図４，図５に示すように、除湿運転時において、給気ファン（95）を駆動すると、室外空気が給気側入口（13）を通じてケーシング（10）内に取り込まれる。この室外空気は、第１空気として室外側上部流路（51）へ流入する。一方、排気ファン（96）を駆動すると、室内空気が排気側入口（15）を通じてケーシング（10）内に取り込まれる。この室内空気は、第２空気として室内側上部流路（53）へ流入する。また、除湿運転において、冷媒回路では、再生熱交換器（92）を凝縮器とし、冷却熱交換器（94）を蒸発器として冷凍サイクルが行われる。そして、上記空気調和装置は、第１動作と第２動作とを交互に繰り返すことによって除湿運転を行う。
【００５４】
除湿運転の第１動作について、図３，図４を参照しながら説明する。この第１動作では、第１吸着素子（81）で空気が減湿されると同時に、第２吸着素子（82）の吸着剤が再生される。
【００５５】
第１上部板（21）では、第１中央右上開口（22）が開放され、第１中央左上開口（23）が閉鎖されている。この状態で、室外側上部流路（51）へ流入した第１空気（室外空気）は、第１中央右上開口（22）を通って第１中央上部流路（63）へ流入する。
【００５６】
第２上部板（31）では、第２右上開口（32）が開放され、第２左上開口（33）が閉鎖されている。この状態で、室内側上部流路（53）へ流入した第２空気（室内空気）は、第２右上開口（32）を通って右上部流路（61）へ流入する。
【００５７】
切換シャッタ（40）では、シャッタ板（42）が再生熱交換器（92）の右半分を覆う位置へ移動している。この状態では、中央下部流路（65）と第２中央上部流路（64）とが再生熱交換器（92）を介して連通する。
【００５８】
図３(ａ)にも示すように、第１中央上部流路（63）の第１空気は、第１吸着素子（81）の調湿側通路（85）へ流入する。この調湿側通路（85）を流れる間に、第１空気に含まれる水蒸気が吸着剤に吸着される。第１吸着素子（81）で減湿された第１空気は、右下部流路（62）へ流入する。
【００５９】
一方、右上部流路（61）の第２空気は、第１吸着素子（81）の冷却側通路（86）へ流入する。この冷却側通路（86）を流れる間に、第２空気は、調湿側通路（85）で水蒸気が吸着剤に吸着される際に生じた吸着熱を吸熱する。吸着熱を奪った第２空気は、中央下部流路（65）へ流入する。中央下部流路（65）の第２空気は、再生熱交換器（92）を通過して第２中央上部流路（64）へ流入する。その際、再生熱交換器（92）では、第２空気が冷媒との熱交換を行って冷媒の凝縮熱を吸熱する。
【００６０】
第１吸着素子（81）及び再生熱交換器（92）で加熱された第２空気は、第２吸着素子（82）の調湿側通路（85）へ導入される。この調湿側通路（85）では、第２空気によって吸着剤が加熱され、吸着剤から水蒸気が脱離する。つまり、第２吸着素子（82）の再生が行われる。吸着剤から脱離した水蒸気は、第２空気と共に左下部流路（67）へ流入する。
【００６１】
第２下部板（34）では、第２右下開口（35）が開放され、第２左下開口（36）が閉鎖されている。この状態で、右下部流路（62）の第１空気は、第２右下開口（35）を通って室内側下部流路（54）へ流入する。室内側下部流路（54）を流れる間に、第１空気は冷却熱交換器（94）を通過する。冷却熱交換器（94）において、第１空気は、冷媒との熱交換を行い、冷媒に対して放熱する。そして、減湿されて冷却された第１空気は、給気側出口（14）を通って室内へ供給される。
【００６２】
第１下部板（24）では、第１左下開口（26）が開放され、第１右下開口（25）が閉鎖されている。この状態で、左下部流路（67）へ流入した第２空気は、第１左下開口（26）を通って室外側下部流路（52）へ流入する。そして、第１吸着素子（81）の冷却と第２吸着素子（82）の再生に利用された第２空気は、排気側出口（16）を通って室外へ排出される。
【００６３】
除湿運転の第２動作について、図５を参照しながら説明する。この第２動作では、第１動作時とは逆に、第２吸着素子（82）で空気が減湿されると同時に、第１吸着素子（81）の吸着剤が再生される。
【００６４】
第１上部板（21）では、第１中央左上開口（23）が開放され、第１中央右上開口（22）が閉鎖されている。この状態で、室外側上部流路（51）へ流入した第１空気（室外空気）は、第１中央左上開口（23）を通って第２中央上部流路（64）へ流入する。
【００６５】
第２上部板（31）では、第２左上開口（33）が開放され、第２右上開口（32）が閉鎖されている。この状態で、室内側上部流路（53）へ流入した第２空気（室内空気）は、第２左上開口（33）を通って左上部流路（66）へ流入する。
【００６６】
切換シャッタ（40）では、シャッタ板（42）が再生熱交換器（92）の左半分を覆う位置へ移動している。この状態では、中央下部流路（65）と第１中央上部流路（63）とが再生熱交換器（92）を介して連通する。
【００６７】
図３(ｂ)にも示すように、第２中央上部流路（64）の第１空気は、第２吸着素子（82）の調湿側通路（85）へ流入する。この調湿側通路（85）を流れる間に、第１空気に含まれる水蒸気が吸着剤に吸着される。第２吸着素子（82）で減湿された第１空気は、左下部流路（67）へ流入する。
【００６８】
一方、左上部流路（66）の第２空気は、第２吸着素子（82）の冷却側通路（86）へ流入する。この冷却側通路（86）を流れる間に、第２空気は、調湿側通路（85）で水蒸気が吸着剤に吸着される際に生じた吸着熱を吸熱する。吸着熱を奪った第２空気は、中央下部流路（65）へ流入する。中央下部流路（65）の第２空気は、再生熱交換器（92）を通過して第１中央上部流路（63）へ流入する。その際、再生熱交換器（92）では、第２空気が冷媒との熱交換を行って冷媒の凝縮熱を吸熱する。
【００６９】
第２吸着素子（82）及び再生熱交換器（92）で加熱された第２空気は、第１吸着素子（81）の調湿側通路（85）へ導入される。この調湿側通路（85）では、第２空気によって吸着剤が加熱され、吸着剤から水蒸気が脱離する。つまり、第１吸着素子（81）の再生が行われる。吸着剤から脱離した水蒸気は、第２空気と共に右下部流路（62）へ流入する。
【００７０】
第２下部板（34）では、第２左下開口（36）が開放され、第２右下開口（35）が閉鎖されている。この状態で、左下部流路（67）の第１空気は、第２左下開口（36）を通って室内側下部流路（54）へ流入する。室内側下部流路（54）を流れる間に、第１空気は冷却熱交換器（94）を通過する。冷却熱交換器（94）において、第１空気は、冷媒との熱交換を行い、冷媒に対して放熱する。そして、減湿されて冷却された第１空気は、給気側出口（14）を通って室内へ供給される。
【００７１】
第１下部板（24）では、第１右下開口（25）が開放され、第１左下開口（26）が閉鎖されている。この状態で、右下部流路（62）へ流入した第２空気は、第１右下開口（25）を通って室外側下部流路（52）へ流入する。そして、第２吸着素子（82）の冷却と第１吸着素子（81）の再生に利用された第２空気は、排気側出口（16）を通って室外へ排出される。
【００７２】
−前提技術１の効果−
この前提技術１の空気調和装置では、吸着素子（81,82）を回転させることなく第１動作と第２動作を相互に切り換えて行うようにしている。従って、本前提技術１によれば、吸着素子（81,82）の回転移動に伴う空気の漏れを防止でき、空気の漏れに起因する空気調和装置の性能低下を回避できる。また、吸着素子（81,82）を回転させるための機構が不要となり、空気調和装置の構成を簡素化し、その製造コストを低減できる。
【００７３】
また、本前提技術１では、吸着素子（81,82）を再生するための第２空気を、冷媒回路の再生熱交換器（92）で冷媒と熱交換させることにより加熱している。ここで、冷媒回路で冷媒を循環させて冷凍サイクルを行う場合、再生熱交換器（92）で空気へ与えられる熱量は、冷媒回路の圧縮機における消費電力よりも多くなる。従って、本前提技術１によれば、冷媒回路の冷凍サイクルによって再生用の第２空気を加熱しているため、冷凍サイクルを行うのに必要なエネルギを上回る除湿能力を得ることが可能となる。この結果、空気調和装置のエネルギ効率を向上させ、その運転に要するエネルギコストを削減できる。
【００７４】
《前提技術２》
本発明の前提技術２は、は、上記前提技術１の空気調和装置の構成を変更し、除湿運転だけでなく、取り込んだ外気を加湿して室内へ供給する加湿運転をも行うことができるようにしたものである。ここでは、上記空気調和装置の構成について、上記前提技術１と異なる部分を説明する。
【００７５】
図６に示すように、この前提技術２の第１仕切部材（20）では、第１上部板（21）に代えて第１上部シャッタ（71）が設けられている。また、前提技術２の第２仕切部材（30）では、第２上部板（31）に代えて第２上部シャッタ（72）が設けられている。第１上部シャッタ（71）と第２上部シャッタ（72）とは、共に第１切換機構であって、その何れもが同様に構成されている。
【００７６】
具体的に、上部シャッタ（71,72）は、１つの帯状シート（75）と２本の支持ローラ（77）とを備えている。帯状シート（75）は、エンドレスの輪状に形成され、帯状部材を構成している。帯状シート（75）の幅は、ケーシング（10）の上下高さの約半分となっている。帯状シート（75）の長さは、ケーシング（10）の左右幅の約２倍となっている。また、帯状シート（75）には、正方形状の通風用開口（76）が４つ形成されている。帯状シート（75）の通風用開口（76）は、帯状シート（75）をその長さ方向に８等分したと仮定した場合において、その区分された８つの部分のうち所定の４つの部分に１つずつ形成されている。これら通風用開口（76）は、開口部を構成している。
【００７７】
支持ローラ（77）は、第１仕切部材（20）又は第２仕切部材（30）の右端と左端に１本ずつ立設されている。これら２本の支持ローラ（77）は、一対のローラ部材を構成している。また、少なくとも一方の支持ローラ（77）は、モータ等で駆動されて回転するように構成されている。支持ローラ（77）には、帯状シート（75）が掛け渡されている。この状態で、帯状シート（75）は、ケーシング（10）内の空気の流路を横断する姿勢となっている。
【００７８】
上部シャッタ（71,72）は、支持ローラ（77）に掛け渡された帯状シート（75）において、その手前側における通風用開口（76）と、その奥側における通風用開口（76）とが一致した箇所でだけ空気の通過を許容する。また、上部シャッタ（71,72）は、支持ローラ（77）を回転させて帯状シート（75）を送り、通風用開口（76）を移動させることによって、空気の通過が許容される位置を変化させている。
【００７９】
そして、第１上部シャッタ（71）は、右上部流路（61）、第１中央上部流路（63）、第２中央上部流路（64）、又は左上部流路（66）の何れか１つだけが室外側上部流路（51）と連通する状態に切り換わる。また、第２上部シャッタ（72）は、右上部流路（61）、第１中央上部流路（63）、第２中央上部流路（64）、又は左上部流路（66）の何れか１つだけが室内側上部流路（53）と連通する状態に切り換わる。
【００８０】
本前提技術２の冷媒回路には、蒸発器として第１冷却熱交換器（93）及び第２冷却熱交換器（94）が接続されている。この冷媒回路において、第１冷却熱交換器（93）と第２冷却熱交換器（94）とは並列に接続されている。そして、冷媒回路は、第１冷却熱交換器（93）だけを蒸発器として第２冷却熱交換器（94）へ冷媒を導入しない動作と、第２冷却熱交換器（94）だけを蒸発器として第１冷却熱交換器（93）へ冷媒を導入しない動作とを切り換えて行うように構成されている。
【００８１】
上述のように、本前提技術２では、第１上部シャッタ（71）と第１下部板（24）とによって第１仕切部材（20）が構成され、第２上部シャッタ（72）と第２下部板（34）とによって第２仕切部材（30）が構成されている。そして、第１，第２上部シャッタ（71,72）及び第１，第２下部板（24,34）は、流路変更手段だけでなく運転切換手段をも構成している。
【００８２】
−運転動作−
上記空気調和装置の運転動作について、図３及び図６〜図９を参照しながら説明する。上述したように、この空気調和装置は、除湿運転と加湿運転とを切り換えて行う。尚、図３は、前提技術１の空気調和装置の所定部分を図示したものであるが、本前提技術２の空気調和装置においても、当該部分の構成は前提技術１と同様である。
【００８３】
〈除湿運転〉
図６，図７に示すように、除湿運転時において、給気ファン（95）を駆動すると、室外空気が給気側入口（13）を通じてケーシング（10）内に取り込まれる。この室外空気は、第１空気として室外側上部流路（51）へ流入する。一方、排気ファン（96）を駆動すると、室内空気が排気側入口（15）を通じてケーシング（10）内に取り込まれる。この室内空気は、第２空気として室内側上部流路（53）へ流入する。
【００８４】
また、除湿運転において、冷媒回路では、再生熱交換器（92）を凝縮器とし、第２冷却熱交換器（94）を蒸発器として冷凍サイクルが行われる。つまり、除湿運転において、第１冷却熱交換器（93）では冷媒が流通しない。そして、上記空気調和装置は、第１動作と第２動作とを交互に繰り返すことによって除湿運転を行う。
【００８５】
除湿運転の第１動作について、図３，図６を参照しながら説明する。この第１動作では、第１吸着素子（81）で空気が減湿されると同時に、第２吸着素子（82）の吸着剤が再生される。
【００８６】
第１上部シャッタ（71）は、室外側上部流路（51）と第１中央上部流路（63）とが連通する状態となっている。この状態で、室外側上部流路（51）へ流入した第１空気（室外空気）は、第１上部シャッタ（71）の通風用開口（76）を通って第１中央上部流路（63）へ流入する。
【００８７】
第２上部シャッタ（72）は、室内側上部流路（53）と右上部流路（61）とが連通する状態となっている。この状態で、室内側上部流路（53）へ流入した第２空気（室内空気）は、第２上部シャッタ（72）の通風用開口（76）を通って右上部流路（61）へ流入する。
【００８８】
切換シャッタ（40）では、シャッタ板（42）が再生熱交換器（92）の右半分を覆う位置へ移動している。この状態では、中央下部流路（65）と第２中央上部流路（64）とが再生熱交換器（92）を介して連通する。
【００８９】
図３(ａ)にも示すように、第１中央上部流路（63）の第１空気は、第１吸着素子（81）の調湿側通路（85）へ流入する。この調湿側通路（85）を流れる間に、第１空気に含まれる水蒸気が吸着剤に吸着される。第１吸着素子（81）で減湿された第１空気は、右下部流路（62）へ流入する。
【００９０】
一方、右上部流路（61）の第２空気は、第１吸着素子（81）の冷却側通路（86）へ流入する。この冷却側通路（86）を流れる間に、第２空気は、調湿側通路（85）で水蒸気が吸着剤に吸着される際に生じた吸着熱を吸熱する。吸着熱を奪った第２空気は、中央下部流路（65）へ流入する。中央下部流路（65）の第２空気は、再生熱交換器（92）を通過して第２中央上部流路（64）へ流入する。その際、再生熱交換器（92）では、第２空気が冷媒との熱交換を行って冷媒の凝縮熱を吸熱する。
【００９１】
第１吸着素子（81）及び再生熱交換器（92）で加熱された第２空気は、第２吸着素子（82）の調湿側通路（85）へ導入される。この調湿側通路（85）では、第２空気によって吸着剤が加熱され、吸着剤から水蒸気が脱離する。つまり、第２吸着素子（82）の再生が行われる。吸着剤から脱離した水蒸気は、第２空気と共に左下部流路（67）へ流入する。
【００９２】
第２下部板（34）では、第２右下開口（35）が開放され、第２左下開口（36）が閉鎖されている。この状態で、右下部流路（62）の第１空気は、第２右下開口（35）を通って室内側下部流路（54）へ流入する。室内側下部流路（54）を流れる間に、第１空気は第２冷却熱交換器（94）を通過する。第２冷却熱交換器（94）において、第１空気は、冷媒との熱交換を行い、冷媒に対して放熱する。そして、減湿されて冷却された第１空気は、給気側出口（14）を通って室内へ供給される。
【００９３】
第１下部板（24）では、第１左下開口（26）が開放され、第１右下開口（25）が閉鎖されている。この状態で、左下部流路（67）へ流入した第２空気は、第１左下開口（26）を通って室外側下部流路（52）へ流入する。室外側下部流路（52）を流れる間に、第２空気は第１冷却熱交換器（93）を通過する。このとき、第１冷却熱交換器（93）において冷媒は流通していない。従って、第２空気は、単に第１冷却熱交換器（93）を通過するだけで、吸熱も放熱もしない。そして、第１吸着素子（81）の冷却と第２吸着素子（82）の再生に利用された第２空気は、排気側出口（16）を通って室外へ排出される。
【００９４】
除湿運転の第２動作について、図７を参照しながら説明する。この第２動作では、第１動作時とは逆に、第２吸着素子（82）で空気が減湿されると同時に、第１吸着素子（81）の吸着剤が再生される。
【００９５】
第１上部シャッタ（71）は、室外側上部流路（51）と第２中央上部流路（64）とが連通する状態となっている。この状態で、室外側上部流路（51）へ流入した第１空気（室外空気）は、第１上部シャッタ（71）の通風用開口（76）を通って第２中央上部流路（64）へ流入する。
【００９６】
第２上部シャッタ（72）は、室内側上部流路（53）と左上部流路（66）とが連通する状態となっている。この状態で、室内側上部流路（53）へ流入した第２空気（室内空気）は、第２上部シャッタ（72）の通風用開口（76）を通って左上部流路（66）へ流入する。
【００９７】
切換シャッタ（40）では、シャッタ板（42）が再生熱交換器（92）の左半分を覆う位置へ移動している。この状態では、中央下部流路（65）と第１中央上部流路（63）とが再生熱交換器（92）を介して連通する。
【００９８】
図３(ｂ)にも示すように、第２中央上部流路（64）の第１空気は、第２吸着素子（82）の調湿側通路（85）へ流入する。この調湿側通路（85）を流れる間に、第１空気に含まれる水蒸気が吸着剤に吸着される。第２吸着素子（82）で減湿された第１空気は、左下部流路（67）へ流入する。
【００９９】
一方、左上部流路（66）の第２空気は、第２吸着素子（82）の冷却側通路（86）へ流入する。この冷却側通路（86）を流れる間に、第２空気は、調湿側通路（85）で水蒸気が吸着剤に吸着される際に生じた吸着熱を吸熱する。吸着熱を奪った第２空気は、中央下部流路（65）へ流入する。中央下部流路（65）の第２空気は、再生熱交換器（92）を通過して第１中央上部流路（63）へ流入する。その際、再生熱交換器（92）では、第２空気が冷媒との熱交換を行って冷媒の凝縮熱を吸熱する。
【０１００】
第２吸着素子（82）及び再生熱交換器（92）で加熱された第２空気は、第１吸着素子（81）の調湿側通路（85）へ導入される。この調湿側通路（85）では、第２空気によって吸着剤が加熱され、吸着剤から水蒸気が脱離する。つまり、第１吸着素子（81）の再生が行われる。吸着剤から脱離した水蒸気は、第２空気と共に右下部流路（62）へ流入する。
【０１０１】
第２下部板（34）では、第２左下開口（36）が開放され、第２右下開口（35）が閉鎖されている。この状態で、左下部流路（67）の第１空気は、第２左下開口（36）を通って室内側下部流路（54）へ流入する。室内側下部流路（54）を流れる間に、第１空気は冷却熱交換器（94）を通過する。冷却熱交換器（94）において、第１空気は、冷媒との熱交換を行い、冷媒に対して放熱する。そして、減湿されて冷却された第１空気は、給気側出口（14）を通って室内へ供給される。
【０１０２】
第１下部板（24）では、第１右下開口（25）が開放され、第１左下開口（26）が閉鎖されている。この状態で、右下部流路（62）へ流入した第２空気は、第１右下開口（25）を通って室外側下部流路（52）へ流入する。そして、第２吸着素子（82）の冷却と第１吸着素子（81）の再生に利用された第２空気は、排気側出口（16）を通って室外へ排出される。
【０１０３】
〈加湿運転〉
図８，図９に示すように、加湿運転時において、給気ファン（95）を駆動すると、室外空気が給気側入口（13）を通じてケーシング（10）内に取り込まれる。この室外空気は、第２空気として室外側上部流路（51）へ流入する。一方、排気ファン（96）を駆動すると、室内空気が排気側入口（15）を通じてケーシング（10）内に取り込まれる。この室内空気は、第１空気として室内側上部流路（53）へ流入する。
【０１０４】
また、加湿運転において、冷媒回路では、再生熱交換器（92）を凝縮器とし、第１冷却熱交換器（93）を蒸発器として冷凍サイクルが行われる。つまり、除湿運転において、第２冷却熱交換器（94）では冷媒が流通しない。そして、上記空気調和装置は、第１動作と第２動作とを交互に繰り返すことによって加湿運転を行う。
【０１０５】
加湿運転の第１動作について、図３，図８を参照しながら説明する。この第１動作では、第１吸着素子（81）で空気が加湿され、第２吸着素子（82）の吸着剤が水蒸気を吸着する。
【０１０６】
第１上部シャッタ（71）は、室外側上部流路（51）と左上部流路（66）とが連通する状態となっている。この状態で、室外側上部流路（51）へ流入した第２空気（室外空気）は、第１上部シャッタ（71）の通風用開口（76）を通って左上部流路（66）へ流入する。
【０１０７】
第２上部シャッタ（72）は、室内側上部流路（53）と第２中央上部流路（64）とが連通する状態となっている。この状態で、室内側上部流路（53）へ流入した第１空気（室内空気）は、第２上部シャッタ（72）の通風用開口（76）を通って第２中央上部流路（64）へ流入する。
【０１０８】
切換シャッタ（40）では、シャッタ板（42）が再生熱交換器（92）の左半分を覆う位置へ移動している。この状態では、中央下部流路（65）と第１中央上部流路（63）とが再生熱交換器（92）を介して連通する。
【０１０９】
図３(ｂ)にも示すように、第２中央上部流路（64）の第１空気は、第２吸着素子（82）の調湿側通路（85）へ流入する。この調湿側通路（85）を流れる間に、第１空気に含まれる水蒸気が吸着剤に吸着される。第２吸着素子（82）で水分を奪われた第１空気は、左下部流路（67）へ流入する。
【０１１０】
一方、左上部流路（66）の第２空気は、第２吸着素子（82）の冷却側通路（86）へ流入する。この冷却側通路（86）を流れる間に、第２空気は、調湿側通路（85）で水蒸気が吸着剤に吸着される際に生じた吸着熱を吸熱する。吸着熱を奪った第２空気は、中央下部流路（65）へ流入する。中央下部流路（65）の第２空気は、再生熱交換器（92）を通過して第１中央上部流路（63）へ流入する。その際、再生熱交換器（92）では、第２空気が冷媒との熱交換を行って冷媒の凝縮熱を吸熱する。
【０１１１】
第２吸着素子（82）及び再生熱交換器（92）で加熱された第２空気は、第１吸着素子（81）の調湿側通路（85）へ導入される。この調湿側通路（85）では、第２空気によって吸着剤が加熱され、吸着剤から水蒸気が脱離する。つまり、第１吸着素子（81）の再生が行われる。そして、吸着剤から脱離した水蒸気が第２空気に付与され、第２空気が加湿される。第１吸着素子（81）で加湿された第２空気は、その後に右下部流路（62）へ流入する。
【０１１２】
第２下部板（34）では、第２右下開口（35）が開放され、第２左下開口（36）が閉鎖されている。この状態で、右下部流路（62）の第２空気は、第２右下開口（35）を通って室内側下部流路（54）へ流入する。室内側下部流路（54）を流れる間に、第２空気は第２冷却熱交換器（94）を通過する。このとき、第２冷却熱交換器（94）において冷媒は流通していない。従って、第２空気は、単に第２冷却熱交換器（94）を通過するだけで、吸熱も放熱もしない。そして、加熱されて加湿された第２空気は、給気側出口（14）を通って室内へ供給される。
【０１１３】
第１下部板（24）では、第１左下開口（26）が開放され、第１右下開口（25）が閉鎖されている。この状態で、左下部流路（67）へ流入した第１空気は、第１左下開口（26）を通って室外側下部流路（52）へ流入する。室外側下部流路（52）を流れる間に、第１空気は第１冷却熱交換器（93）を通過する。第１冷却熱交換器（93）において、第１空気は、冷媒との熱交換を行い、冷媒に対して放熱する。そして、水分と熱を奪われた第１空気は、排気側出口（16）を通って室外へ排出される。
【０１１４】
加湿運転の第２動作について、図３，図９を参照しながら説明する。この第２動作では、第１動作時とは逆に、第２吸着素子（82）で空気が加湿され、第１吸着素子（81）の吸着剤が水蒸気を吸着する。
【０１１５】
第１上部シャッタ（71）は、室外側上部流路（51）と右上部流路（61）とが連通する状態となっている。この状態で、室外側上部流路（51）へ流入した第２空気（室外空気）は、第１上部シャッタ（71）の通風用開口（76）を通って右上部流路（61）へ流入する。
【０１１６】
第２上部シャッタ（72）は、室内側上部流路（53）と第１中央上部流路（63）とが連通する状態となっている。この状態で、室内側上部流路（53）へ流入した第１空気（室内空気）は、第２上部シャッタ（72）の通風用開口（76）を通って第１中央上部流路（63）へ流入する。
【０１１７】
切換シャッタ（40）では、シャッタ板（42）が再生熱交換器（92）の右半分を覆う位置へ移動している。この状態では、中央下部流路（65）と第２中央上部流路（64）とが再生熱交換器（92）を介して連通する。
【０１１８】
図３(ａ)にも示すように、第１中央上部流路（63）の第１空気は、第１吸着素子（81）の調湿側通路（85）へ流入する。この調湿側通路（85）を流れる間に、第１空気に含まれる水蒸気が吸着剤に吸着される。第１吸着素子（81）で水分を奪われた第１空気は、右下部流路（62）へ流入する。
【０１１９】
一方、右上部流路（61）の第２空気は、第１吸着素子（81）の冷却側通路（86）へ流入する。この冷却側通路（86）を流れる間に、第２空気は、調湿側通路（85）で水蒸気が吸着剤に吸着される際に生じた吸着熱を吸熱する。吸着熱を奪った第２空気は、中央下部流路（65）へ流入する。中央下部流路（65）の第２空気は、再生熱交換器（92）を通過して第２中央上部流路（64）へ流入する。その際、再生熱交換器（92）では、第２空気が冷媒との熱交換を行って冷媒の凝縮熱を吸熱する。
【０１２０】
第１吸着素子（81）及び再生熱交換器（92）で加熱された第２空気は、第２吸着素子（82）の調湿側通路（85）へ導入される。この調湿側通路（85）では、第２空気によって吸着剤が加熱され、吸着剤から水蒸気が脱離する。つまり、第２吸着素子（82）の再生が行われる。そして、吸着剤から脱離した水蒸気が第２空気に付与され、第２空気が加湿される。第２吸着素子（82）で加湿された第２空気は、その後に左下部流路（67）へ流入する。
【０１２１】
第２下部板（34）では、第２左下開口（36）が開放され、第２右下開口（35）が閉鎖されている。この状態で、左下部流路（67）の第２空気は、第２左下開口（36）を通って室内側下部流路（54）へ流入する。室内側下部流路（54）を流れる間に、第２空気は第２冷却熱交換器（94）を通過する。このとき、第２冷却熱交換器（94）において冷媒は流通していない。従って、第２空気は、単に第２冷却熱交換器（94）を通過するだけで、吸熱も放熱もしない。そして、加熱されて加湿された第２空気は、給気側出口（14）を通って室内へ供給される。
【０１２２】
第１下部板（24）では、第１右下開口（25）が開放され、第１左下開口（26）が閉鎖されている。この状態で、右下部流路（62）へ流入した第１空気は、第１右下開口（25）を通って室外側下部流路（52）へ流入する。室外側下部流路（52）を流れる間に、第１空気は第１冷却熱交換器（93）を通過する。第１冷却熱交換器（93）において、第１空気は、冷媒との熱交換を行い、冷媒に対して放熱する。そして、水分と熱を奪われた第１空気は、排気側出口（16）を通って室外へ排出される。
【０１２３】
−前提技術２の変形例−
上記前提技術２の空気調和装置において、排気側出口（16）を通じて室外空気を取り込み、給気側入口（13）を通じて室内空気を排出できる構成とした場合には、取り込んだ室外空気（外気）をそのまま室内へ供給する外気冷房運転（外気導入運転）をも行うことが可能となる。つまり、いわゆる中間期には外気温が室温よりも低い場合があり、このような時期には室外空気を室内へ供給するだけで室内の冷房が可能となる。
【０１２４】
具体的に、この外気冷房運転を行う場合、第１下部板（24）では第１右下開口（25）が開放されて第１左下開口（26）が閉鎖され、第２下部板（34）では第２右下開口（35）が開放されて第２左下開口（36）が閉鎖される。この状態で給気ファン（95）を駆動すると、室外空気が排気側出口（16）を通って室外側下部流路（52）へ流入する。そして、この室外空気は、右下部流路（62）を通って室内側下部流路（54）へ流入し、給気側出口（14）から室内へ供給される。
【０１２５】
一方、第２上部シャッタ（72）では、室内側上部流路（53）と右上部流路（61）とが連通される。また、第１上部シャッタ（71）では、右上部流路（61）と室外側上部流路（51）とが連通される。この状態で排気ファン（96）を駆動すると、室内空気が排気側入口（15）を通って室内側上部流路（53）へ流入する。そして、この室内空気は、左上部流路（66）を通って室内側上部流路（53）へ流入し、給気側入口（13）から室外へ排気される。
【０１２６】
《本発明の実施形態》
本発明の実施形態は、上記前提技術２の空気調和装置の構成を変更し、除湿運転で第１動作と第２動作を切り換える際に冷却動作を行うようにしたものである。また、本実施形態３の空気調和装置では、除湿運転や加湿運転に加えて、取り込んだ室外空気（外気）をそのまま室内へ供給する外気冷房運転（外気導入運転）も可能となる。ここでは、本実施形態３の空気調和装置について、上記前提技術２と異なる部分を説明する。
【０１２７】
図１０に示すように、本実施形態の第１仕切部材（20）では、第１下部板（24）に代えて第１下部シャッタ（73）が設けられている。また、本実施形態３の第２仕切部材（30）では、第２下部板（34）に代えて第２下部シャッタ（74）が設けられている。第１下部シャッタ（73）と第２下部シャッタ（74）とは、共に第１切換機構であって、その何れもが同様に構成されている。
【０１２８】
具体的に、下部シャッタ（73,74）は、上部シャッタ（71,72）と同様に構成されている。即ち、下部シャッタ（73,74）は、通風用開口（76）の形成された帯状シート（75）を一対の支持ローラ（77）に掛け渡して構成されている。ただし、下部シャッタ（73,74）の帯状シート（75）において、４つの通風用開口（76）は、上部シャッタ（71,72）の帯状シート（75）とは異なる位置に形成されている。
【０１２９】
そして、第１下部シャッタ（73）は、右下部流路（62）、中央下部流路（65）、又は左下部流路（67）の何れか１つだけが室外側下部流路（52）と連通する状態に切り換わる。また、第２下部シャッタ（74）は、右下部流路（62）、中央下部流路（65）、又は左下部流路（67）の何れか１つだけが室内側下部流路（54）と連通する状態に切り換わる。
【０１３０】
このように、本実施形態では、第１上部シャッタ（71）と第１下部シャッタ（73）とによって第１仕切部材（20）が構成され、第２上部シャッタ（72）と第２下部シャッタ（74）とによって第２仕切部材（30）が構成されている。そして、第１，第２上部シャッタ（71,72）及び第１，第２下部シャッタ（73,74）は、流路変更手段だけでなく運転切換手段をも構成している。
【０１３１】
−運転動作−
上記空気調和装置の運転動作について、図１０〜図１５を参照しながら説明する。上述したように、この空気調和装置は、除湿運転と加湿運転と外気冷房運転とを切り換えて行う。
【０１３２】
〈除湿運転〉
図１０〜図１３に示すように、除湿運転時において、給気ファン（95）を駆動すると、室外空気が給気側入口（13）を通じてケーシング（10）内に取り込まれる。この室外空気は、第１空気として室外側上部流路（51）へ流入する。一方、排気ファン（96）を駆動すると、室内空気が排気側入口（15）を通じてケーシング（10）内に取り込まれる。この室内空気は、第２空気として室内側上部流路（53）へ流入する。
【０１３３】
また、除湿運転において、冷媒回路では、再生熱交換器（92）を凝縮器とし、第２冷却熱交換器（94）を蒸発器として冷凍サイクルが行われる。つまり、除湿運転において、第１冷却熱交換器（93）では冷媒が流通しない。そして、上記空気調和装置の除湿運転では、第１動作、第１冷却動作、第２動作、第２冷却動作が順に行われ、第２冷却動作の後に再び第１動作へ戻ってこれらの動作が繰り返される。
【０１３４】
除湿運転の第１動作について、図１０を参照しながら説明する。この第１動作では、第１吸着素子（81）で空気が減湿されると同時に、第２吸着素子（82）の吸着剤が再生される。
【０１３５】
第１上部シャッタ（71）、第２上部シャッタ（72）、及び切換シャッタ（40）は、その何れもが上記前提技術２における除湿運転中の第１動作時と同様の状態となる。具体的に、第１上部シャッタ（71）は、室外側上部流路（51）と第１中央上部流路（63）とが連通する状態となっている。第２上部シャッタ（72）は、室内側上部流路（53）と右上部流路（61）とが連通する状態となっている。切換シャッタ（40）では、シャッタ板（42）が再生熱交換器（92）の右半分を覆う位置へ移動している。
【０１３６】
一方、第１下部シャッタ（73）は、左下部流路（67）と室外側下部流路（52）とが連通する状態となっている。また、第２下部シャッタ（74）は、右下部流路（62）と室内側下部流路（54）とが連通する状態となっている。
【０１３７】
この状態で、第１空気として取り込まれた室外空気、及び第２空気として取り込まれた室内空気は、上記空気調和装置において、上記前提技術２における除湿運転中の第１動作時と同様に流通する。
【０１３８】
つまり、第１空気は、順に室外側上部流路（51）、第１上部シャッタ（71）の通風用開口（76）、第１中央上部流路（63）を流れ、第１吸着素子（81）の調湿側通路（85）へ流入して減湿される。減湿後の第１空気は、順に右下部流路（62）、第２下部シャッタ（74）の通風用開口（76）、室内側下部流路（54）を流れ、給気側出口（14）を通って室内へ供給される。
【０１３９】
一方、第２空気は、順に室内側上部流路（53）、第２上部シャッタ（72）の通風用開口（76）、右上部流路（61）を流れ、第１吸着素子（81）及び再生熱交換器（92）で加熱された後に、第２吸着素子（82）の調湿側通路（85）へ流入する。第２吸着素子（82）の再生に利用された第２空気は、順に左下部流路（67）、第１下部シャッタ（73）の通風用開口（76）、室外側下部流路（52）を流れ、排気側出口（16）を通って室外へ排出される。
【０１４０】
除湿運転の第１冷却動作について、図１１を参照しながら説明する。この第１冷却動作では、第１動作において再生された第２吸着素子（82）が冷却される。
【０１４１】
第１冷却動作中において、第１上部シャッタ（71）、第２下部シャッタ（74）、及び切換シャッタ（40）は、第１動作中と同じ状態とされる。従って、室外側上部流路（51）へ流入した第１空気（室外空気）は、第１動作中と同様に、第１吸着素子（81）の調湿側通路（85）を通過し、その後に給気側出口（14）を通って室内へ供給される。つまり、第１冷却動作中においても、第１吸着素子（81）による空気の減湿は継続される。
【０１４２】
第２上部シャッタ（72）は、室内側上部流路（53）と左上部流路（66）とが連通する状態となっている。この状態で、室内側上部流路（53）へ流入した第２空気（室内空気）は、第２上部シャッタ（72）の通風用開口（76）を通って左上部流路（66）へ流入する。その後、第２空気は、第２吸着素子（82）の冷却側通路（86）へ導入される。この冷却側通路（86）を第２空気が流れることで、第１動作において再生された第２吸着素子（82）が冷却される。
【０１４３】
第１下部シャッタ（73）は、中央下部流路（65）と室外側下部流路（52）とが連通する状態となっている。この状態で、第２吸着素子（82）の冷却に利用された第２空気は、順に中央下部流路（65）、第１下部シャッタ（73）の通風用開口（76）、室外側下部流路（52）を流れ、その後に排気側出口（16）を通って室外へ排出される。
【０１４４】
除湿運転の第２動作について、図１２を参照しながら説明する。この第２動作では、第２吸着素子（82）で空気が減湿されると同時に、第１吸着素子（81）の吸着剤が再生される。
【０１４５】
第１上部シャッタ（71）、第２上部シャッタ（72）、及び切換シャッタ（40）は、その何れもが上記前提技術２における除湿運転中の第２動作時と同様の状態となる。具体的に、第１上部シャッタ（71）は、室外側上部流路（51）と第２中央上部流路（64）とが連通する状態となっている。第２上部シャッタ（72）は、室内側上部流路（53）と左上部流路（66）とが連通する状態となっている。切換シャッタ（40）では、シャッタ板（42）が再生熱交換器（92）の左半分を覆う位置へ移動している。
【０１４６】
一方、第１下部シャッタ（73）は、右下部流路（62）と室外側下部流路（52）とが連通する状態となっている。また、第２下部シャッタ（74）は、左下部流路（67）と室内側下部流路（54）とが連通する状態となっている。
【０１４７】
この状態で、第１空気として取り込まれた室外空気、及び第２空気として取り込まれた室内空気は、上記空気調和装置において、上記前提技術２における除湿運転中の第２動作時と同様に流通する。
【０１４８】
つまり、第１空気は、順に室外側上部流路（51）、第１上部シャッタ（71）の通風用開口（76）、第２中央上部流路（64）を流れ、第２吸着素子（82）の調湿側通路（85）へ流入して減湿される。減湿後の第１空気は、順に左下部流路（67）、第２下部シャッタ（74）の通風用開口（76）、室内側下部流路（54）を流れ、給気側出口（14）を通って室内へ供給される。
【０１４９】
一方、第２空気は、順に室内側上部流路（53）、第２上部シャッタ（72）の通風用開口（76）、左上部流路（66）を流れ、第２吸着素子（82）及び再生熱交換器（92）で加熱された後に、第１吸着素子（81）の調湿側通路（85）へ流入する。第１吸着素子（81）の再生に利用された第２空気は、順に右下部流路（62）、第１下部シャッタ（73）の通風用開口（76）、室外側下部流路（52）を流れ、排気側出口（16）を通って室外へ排出される。
【０１５０】
除湿運転の第２冷却動作について、図１３を参照しながら説明する。この第２冷却動作では、第２動作において再生された第１吸着素子（81）が冷却される。
【０１５１】
第２冷却動作中において、第１上部シャッタ（71）、第２下部シャッタ（74）、及び切換シャッタ（40）は、第２動作中と同じ状態とされる。従って、室外側上部流路（51）へ流入した第１空気（室外空気）は、第２動作中と同様に、第２吸着素子（82）の調湿側通路（85）を通過し、その後に給気側出口（14）を通って室内へ供給される。つまり、第１冷却動作中においても、第２吸着素子（82）による空気の減湿は継続される。
【０１５２】
第２上部シャッタ（72）は、室内側上部流路（53）と右上部流路（61）とが連通する状態となっている。この状態で、室内側上部流路（53）へ流入した第２空気（室内空気）は、第２上部シャッタ（72）の通風用開口（76）を通って右上部流路（61）へ流入する。その後、第２空気は、第１吸着素子（81）の冷却側通路（86）へ導入される。この冷却側通路（86）を第２空気が流れることで、第２動作において再生された第１吸着素子（81）が冷却される。
【０１５３】
第１下部シャッタ（73）は、中央下部流路（65）と室外側下部流路（52）とが連通する状態となっている。この状態で、第１吸着素子（81）の冷却に利用された第２空気は、順に中央下部流路（65）、第１下部シャッタ（73）の通風用開口（76）、室外側下部流路（52）を流れ、その後に排気側出口（16）を通って室外へ排出される。
【０１５４】
〈加湿運転〉
図１４，図１５に示すように、加湿運転時において、給気ファン（95）を駆動すると、室外空気が給気側入口（13）を通じてケーシング（10）内に取り込まれる。この室外空気は、第２空気として室外側上部流路（51）へ流入する。一方、排気ファン（96）を駆動すると、室内空気が排気側入口（15）を通じてケーシング（10）内に取り込まれる。この室内空気は、第１空気として室内側上部流路（53）へ流入する。
【０１５５】
また、加湿運転において、冷媒回路では、再生熱交換器（92）を凝縮器とし、第１冷却熱交換器（93）を蒸発器として冷凍サイクルが行われる。つまり、除湿運転において、第２冷却熱交換器（94）では冷媒が流通しない。そして、上記空気調和装置は、第１動作と第２動作とを交互に繰り返すことによって加湿運転を行う。
【０１５６】
加湿運転の第１動作について、図１４を参照しながら説明する。この第１動作では、第１吸着素子（81）で空気が加湿され、第２吸着素子（82）の吸着剤が水蒸気を吸着する。
【０１５７】
第１上部シャッタ（71）、第２上部シャッタ（72）、及び切換シャッタ（40）は、その何れもが上記前提技術２における加湿運転中の第１動作時と同様の状態となる。具体的に、第１上部シャッタ（71）は、室外側上部流路（51）と左上部流路（66）とが連通する状態となっている。第２上部シャッタ（72）は、室内側上部流路（53）と第２中央上部流路（64）とが連通する状態となっている。切換シャッタ（40）では、シャッタ板（42）が再生熱交換器（92）の左半分を覆う位置へ移動している。
【０１５８】
一方、第１下部シャッタ（73）は、左下部流路（67）と室外側下部流路（52）とが連通する状態となっている。また、第２下部シャッタ（74）は、右下部流路（62）と室内側下部流路（54）とが連通する状態となっている。
【０１５９】
この状態で、第１空気として取り込まれた室内空気、及び第２空気として取り込まれた室外空気は、上記空気調和装置において、上記前提技術２における加湿運転中の第１動作時と同様に流通する。
【０１６０】
つまり、第１空気は、順に室内側上部流路（53）、第２上部シャッタ（72）の通風用開口（76）、第２中央上部流路（64）を流れ、第２吸着素子（82）の調湿側通路（85）へ流入して減湿される。水分を奪われた第１空気は、順に左下部流路（67）、第１下部シャッタ（73）の通風用開口（76）、室外側下部流路（52）を流れ、排気側出口（16）を通って室外へ排出される。
【０１６１】
一方、第２空気は、順に室外側上部流路（51）、第１上部シャッタ（71）の通風用開口（76）、左上部流路（66）を流れ、第２吸着素子（82）及び再生熱交換器（92）で加熱された後に、第１吸着素子（81）の調湿側通路（85）へ流入する。第１吸着素子（81）で加湿された第２空気は、順に右下部流路（62）、第２下部シャッタ（74）の通風用開口（76）、室内側下部流路（54）を流れ、給気側出口（14）を通って室内へ供給される。
【０１６２】
加湿運転の第２動作について、図１５を参照しながら説明する。この第２動作では、第１動作とは逆に、第２吸着素子（82）で空気が加湿され、第１吸着素子（81）の吸着剤が水蒸気を吸着する。
【０１６３】
第１上部シャッタ（71）、第２上部シャッタ（72）、及び切換シャッタ（40）は、その何れもが上記前提技術２における加湿運転中の第２動作時と同様の状態となる。具体的に、第１上部シャッタ（71）は、室外側上部流路（51）と右上部流路（61）とが連通する状態となっている。第２上部シャッタ（72）は、室内側上部流路（53）と第１中央上部流路（63）とが連通する状態となっている。切換シャッタ（40）では、シャッタ板（42）が再生熱交換器（92）の右半分を覆う位置へ移動している。
【０１６４】
一方、第１下部シャッタ（73）は、右下部流路（62）と室外側下部流路（52）とが連通する状態となっている。また、第２下部シャッタ（74）は、左下部流路（67）と室内側下部流路（54）とが連通する状態となっている。
【０１６５】
この状態で、第１空気として取り込まれた室内空気、及び第２空気として取り込まれた室外空気は、上記空気調和装置において、上記前提技術２における加湿運転中の第２動作時と同様に流通する。
【０１６６】
つまり、第１空気は、順に室内側上部流路（53）、第２上部シャッタ（72）の通風用開口（76）、第１中央上部流路（63）を流れ、第１吸着素子（81）の調湿側通路（85）へ流入して減湿される。水分を奪われた第１空気は、順に右下部流路（62）、第１下部シャッタ（73）の通風用開口（76）、室外側下部流路（52）を流れ、排気側出口（16）を通って室外へ排出される。
【０１６７】
一方、第２空気は、順に室外側上部流路（51）、第１上部シャッタ（71）の通風用開口（76）、右上部流路（61）を流れ、第１吸着素子（81）及び再生熱交換器（92）で加熱された後に、第２吸着素子（82）の調湿側通路（85）へ流入する。第２吸着素子（82）で加湿された第２空気は、順に左下部流路（67）、第２下部シャッタ（74）の通風用開口（76）、室内側下部流路（54）を流れ、給気側出口（14）を通って室内へ供給される。
【０１６８】
〈外気冷房運転〉
外気冷房運転時において、空気調和装置では、除湿運転の第１冷却動作中又は第２冷却動作中と全く同様に空気が流通する（図１１，図１３を参照）。
【０１６９】
例えば、除湿運転の第１冷却動作中と同様に空気を流して外気冷房運転を行う場合について説明する。この場合、第１上部シャッタ（71）、第１下部シャッタ（73）、切換シャッタ（40）、第２上部シャッタ（72）、及び第２下部シャッタ（74）は、何れも除湿運転の第１冷却動作時と同様の状態となる。そして、給気側入口（13）から取り込まれた室外空気は、第１吸着素子（81）の調湿側通路（85）を通過した後に、給気側出口（14）を通って室内へ供給される。一方、排気側入口（15）から取り込まれた室内空気は、第２吸着素子（82）の冷却側通路（86）を通過した後に、排気側出口（16）を通って室外へ排出される。
【０１７０】
上述のように、室内へ供給される室外空気は、第１吸着素子（81）の調湿側通路（85）を通過している。このため、外気冷房運転を開始して暫くの間は、第１吸着素子（81）で室外空気が減湿される場合もある。しかしながら、この外気冷房運転時において、第１吸着素子（81）の再生は行われず、やがて第１吸着素子（81）の吸着剤が飽和状態となる。従って、その後は、室外空気が減湿されずにそのまま室内へ供給される。
【０１７１】
−実施形態の効果−
本実施形態では、再生された吸着素子（81,82）を冷却動作によって冷却し、冷却後の吸着素子（81,82）に対して減湿対象の第１空気を導入している。ここで、再生されて高温となった吸着素子（81,82）へ減湿対象の第１空気を導入すると、その調湿側通路（85）において第１空気が加熱され、第１空気の相対湿度が低下して吸着剤に吸着される水蒸気の量が減少してしまう。これに対し、本実施形態３では、冷却動作により予め吸着素子（81,82）を冷却し、その後にこの吸着素子（81,82）へ減湿対象の第１空気を供給している。従って、本実施形態３によれば、吸着素子（81,82）の吸着性能を十分に発揮させることができ、空気調和装置の性能向上を図ることができる。
【０１７２】
【発明のその他の実施の形態】
−第１の変形例−
上記実施形態では、切換シャッタ（40）のシャッタ板（42）を湾曲した曲面板状に形成しているが、これに代えて次のような構成としてもよい。つまり、図１６に示すように、切換シャッタ（40）のシャッタ板（42）を平板状に形成し、平板状のシャッタ板（42）がその上端を軸に回動することにより、第２空気の流通経路を変更するようにしてもよい。ただし、この場合において、側板（41）は山形に形成する必要がある。
【０１７３】
本変形例の切換シャッタ（40）において、シャッタ板（42）を第１吸着素子（81）の方へ傾けると（図１６(ａ)を参照）、中央下部流路（65）と第２中央上部流路（64）とが連通される。また、これとは逆に、シャッタ板（42）を第２吸着素子（82）の方へ傾けると（図１６(ｂ)を参照）、中央下部流路（65）と第１中央上部流路（63）とが連通される。
【０１７４】
−第２の変形例−
上記実施形態では、切換シャッタ（40）を次のように構成してもよい。
【０１７５】
図１７に示すように、本変形例の切換シャッタ（40）は、シャッタ板に代えて２枚のスライド板（43,44）を備えている。各スライド板（43,44）は、何れも長方形の平板状に形成されている。そして、第１スライド板（43）は、第１吸着素子（81）における左下向きの側面に沿って設置され、この側面に沿って斜め方向へスライドするように構成されている。一方、第２スライド板（44）は、第２吸着素子（82）における右下向きの側面に沿って設置され、この側面に沿って斜め方向へスライドするように構成されている。また、本変形例の切換シャッタ（40）において、側板（41）は三角形板状に形成されている。
【０１７６】
本変形例の切換シャッタ（40）において、第１スライド板（43）が上方に位置して第２スライド板（44）が下方に位置する状態（図１７(ａ)を参照）では、第１吸着素子（81）の冷却側通路（86）が中央下部流路（65）と連通され、中央下部流路（65）が第２中央上部流路（64）とが連通される。また、第２吸着素子（82）の側面が第２スライド板（44）で覆われ、第２吸着素子（82）の冷却側通路（86）が中央下部流路（65）から遮断される。そして、第１吸着素子（81）の冷却側通路（86）から流出した第２空気は、第２吸着素子（82）の冷却側通路（86）へ流入することなく、その全てが再生熱交換器（92）を通過して第２吸着素子（82）の調湿側通路（85）へ導入される。
【０１７７】
これとは逆に、第１スライド板（43）が下方に位置して第２スライド板（44）が上方に位置する状態（図１７(ｂ)を参照）では、第２吸着素子（82）の冷却側通路（86）が中央下部流路（65）と連通され、中央下部流路（65）が第１中央上部流路（63）とが連通される。また、第１吸着素子（81）の側面が第１スライド板（43）で覆われ、第１吸着素子（81）の冷却側通路（86）が中央下部流路（65）から遮断される。そして、第２吸着素子（82）の冷却側通路（86）から流出した第２空気は、第１吸着素子（81）の冷却側通路（86）へ流入することなく、その全てが再生熱交換器（92）を通過して第１吸着素子（81）の調湿側通路（85）へ導入される。
【０１７８】
このように、本変形例の切換シャッタ（40）を用いれば、再生されている吸着素子（81,82）の冷却側通路（86）に対し、再生熱交換器（92）で加熱される前の第２空気が流入することは無い。このため、再生しようとする吸着素子（81,82）を再生熱交換器（92）からの第２空気によって確実に加熱することができ、該吸着素子（81,82）の吸着剤から水蒸気を確実に脱離させることができる。従って、本変形例によれば、吸着素子（81,82）の再生を確実に行うことができ、これによって空気調和装置の性能向上を図ることができる。
【０１７９】
−第３の変形例−
上記実施形態では、平板状に形成した再生熱交換器（92）を第１及び第２吸着素子（81,82）と一直線上に配置しているが、これに代えて次のようにしてもよい。
【０１８０】
先ず、図１８に示すように、再生熱交換器（92）をその左右幅方向の中央で折り曲げてＶ字状に形成してもよい。また、再生熱交換器（92）を多段に折り曲げてもよい。このように再生熱交換器（92）を折り曲げると、再生熱交換器（92）における伝熱面積を拡大することができ、再生用の第２空気を一層確実に加熱することが可能となる。尚、図１８において、切換シャッタ（40）の図示は省略している。
【０１８１】
次に、図１９に示すように、再生熱交換器（92）をオフセットして設置してもよい。つまり、第１吸着素子（81）の端面の中心と第２吸着素子（82）の端面の中心を互いに結んだ直線から上方あるいは下方へ再生熱交換器（92）をずらして設置してもよい。この場合には、第１吸着素子（81）の左側の角部と再生熱交換器（92）の右端部とをオーバーラップさせて配置することができる。また、これと同様に、第２吸着素子（82）の右側の角部と、再生熱交換器（92）の左端部とをオーバーラップさせて配置することができる。従って、本変形例によれば、空気調和装置の横幅を縮小し、その小型化を図ることができる。尚、図１９において、切換シャッタ（40）の図示は省略している。
【０１８２】
−第４の変形例−
上記実施形態では、吸着素子（81,82）を構成する平板部材（83）を正方形状とし、その端面が正方形状となるように吸着素子（81,82）を構成していたが、これに代えて次のようにしてもよい。
【０１８３】
つまり、図２０に示すように、平板部材（83）を長方形状に形成し、その端面が長方形状となるように吸着素子（81,82）を構成してもよい。この吸着素子（81,82）では、平板部材（83）の長辺側の側面に調湿側通路（85）が開口し、平板部材（83）の短辺側の側面に冷却側通路（86）が開口している。また、平板部材（83）は、その長辺の長さＬ1がその短辺の長さＬ2の２倍となる長方形状に形成されている。つまり、この平板部材（83）では、Ｌ1/Ｌ2＝２となっている。
【０１８４】
図２１に示すように、本変形例の吸着素子（81,82）は、空気調和装置において上記各実施形態のものと同様に配置されている。つまり、第１吸着素子（81）は、その調湿側通路（85）が第１中央上部流路（63）及び右下部流路（62）と連通し、その冷却側通路（86）が右上部流路（61）及び中央下部流路（65）と連通する姿勢で設置されている。また、第２吸着素子（82）は、その調湿側通路（85）が第２中央上部流路（64）及び左下部流路（67）と連通し、その冷却側通路（86）が左上部流路（66）及び中央下部流路（65）と連通する姿勢で設置されている。
【０１８５】
本変形例の吸着素子（81,82）によれば、平板部材（83）を正方形状に形成する従来のものに比べ、冷却側通路（86）の開口面積を縮小して該冷却側通路（86）における第２空気の流速を上昇させることができると同時に、調湿側通路（85）の開口面積を拡大して該調湿側通路（85）における第１空気の流速を低下させることができる。
【０１８６】
この結果、調湿側通路（85）において吸着剤と第１空気とを確実に接触させつつ、冷却側通路（86）での空気流速を高めることで、調湿側通路（85）の第１空気から冷却側通路（86）の第２空気へ移動する熱量を増大させることができる。従って、本変形例によれば、吸着素子（81,82）において、調湿側通路（85）での吸着剤と第１空気との接触を確保しつつ、冷却側通路（86）の第２空気が吸熱する吸着熱の量を増大させることができ、吸着素子（81,82）の吸着能力を高めることができる。
【０１８７】
−第５の変形例−
上記実施形態では、ケーシング（10）内において、給気ファン（95）と排気ファン（96）の両方を室内側パネル（12）側に配置しているが、それに代えて次のようにしてもよい。つまり、これとは逆に、給気ファン（95）と排気ファン（96）の両方を室外側パネル（11）側に配置してもよい。また、給気ファン（95）と排気ファン（96）の何れか一方を室内側パネル（12）側に配置し、他方を室外側パネル（11）側に配置してもよい。
【０１８８】
−第６の変形例−
上記の各実施形態では、室外側下部流路（52）に閉空間の機械室（56）を形成し、この機械室（56）に圧縮機（91）を収納しているが、これに代えて次のようにしてもよい。つまり、機械室（56）を仕切る区画板（55）を省略し、室外側下部流路（52）を流れる空気と接触し得る箇所に圧縮機（91）を設置してもよい。本変形例によれば、室外側下部流路（52）から排気側出口（16）を通って排気される空気を利用して、圧縮機（91）の排熱を室外へ放出することができる。
【図面の簡単な説明】
【図１】  前提技術１に係る空気調和装置の構成を示す概略斜視図である。
【図２】  前提技術１に係る空気調和装置の吸着素子を示す概略斜視図である。
【図３】  前提技術１に係る空気調和装置の要部を示す模式図である。
【図４】  前提技術１に係る空気調和装置の除湿運転中の第１動作を示す分解斜視図である。
【図５】  前提技術１に係る空気調和装置の除湿運転中の第２動作を示す分解斜視図である。
【図６】  前提技術２に係る空気調和装置の除湿運転中の第１動作を示す分解斜視図である。
【図７】  前提技術２に係る空気調和装置の除湿運転中の第２動作を示す分解斜視図である。
【図８】  前提技術２に係る空気調和装置の加湿運転中の第１動作を示す分解斜視図である。
【図９】  前提技術２に係る空気調和装置の加湿運転中の第２動作を示す分解斜視図である。
【図１０】  実施形態に係る空気調和装置の除湿運転中の第１動作を示す分解斜視図である。
【図１１】  実施形態に係る空気調和装置の除湿運転中の第１冷却動作を示す分解斜視図である。
【図１２】  実施形態に係る空気調和装置の除湿運転中の第２動作を示す分解斜視図である。
【図１３】  実施形態に係る空気調和装置の除湿運転中の第２冷却動作を示す分解斜視図である。
【図１４】  実施形態に係る空気調和装置の加湿運転中の第１動作を示す分解斜視図である。
【図１５】  実施形態に係る空気調和装置の加湿運転中の第２動作を示す分解斜視図である。
【図１６】  その他の実施形態（第１の変形例）に係る空気調和装置の要部を示す図３相当図である。
【図１７】  その他の実施形態（第２の変形例）に係る空気調和装置の要部を示す図３相当図である。
【図１８】  その他の実施形態（第３の変形例）に係る空気調和装置の要部を示す模式図である。
【図１９】  その他の実施形態（第３の変形例）に係る空気調和装置の要部を示す模式図である。
【図２０】  その他の実施形態（第４の変形例）に係る空気調和装置の吸着素子を示す概略斜視図である。
【図２１】  その他の実施形態（第４の変形例）に係る空気調和装置の要部を模式的に示す図３相当図である。
【符号の説明】
（40）  切換シャッタ（第２切換機構）
（71）  第１上部シャッタ（第１切換機構）
（72）  第２上部シャッタ（第１切換機構）
（73）  第１下部シャッタ（第１切換機構）
（74）  第２下部シャッタ（第１切換機構）
（75）  帯状シート（帯状部材）
（76）  通風用開口（開口部）
（77）  支持ローラ（ローラ部材）
（81）  第１吸着素子
（82）  第２吸着素子
（85）  調湿側通路
（86）  冷却側通路
（92）  再生熱交換器（凝縮器）
【図１】
0003709815.tif 000002
【図２】
0003709815.tif 000003
【図３】
0003709815.tif 000004
【図４】
0003709815.tif 000005
【図５】
0003709815.tif 000006
【図６】
0003709815.tif 000007
【図７】
0003709815.tif 000008
【図８】
0003709815.tif 000009
【図９】
0003709815.tif 000010
【図１０】
0003709815.tif 000011
【図１１】
0003709815.tif 000012
【図１２】
0003709815.tif 000013
【図１３】
0003709815.tif 000014
【図１４】
0003709815.tif 000015
【図１５】
0003709815.tif 000016
【図１６】
0003709815.tif 000017
【図１７】
0003709815.tif 000018
【図１８】
0003709815.tif 000019
【図１９】
0003709815.tif 000020
【図２０】
0003709815.tif 000021
【図２１】
0003709815.tif 000022